(57)【特許請求の範囲】
【請求項１】
少なくとも１つの光電変換セルを備え、
前記光電変換セルが、
電極基板と、
前記電極基板に対向する対向基板と、
前記電極基板のうち前記対向基板側の表面上に設けられる酸化物半導体層と、
前記電極基板と前記対向基板とを接合する環状の封止部とを有する光電変換装置であって、
前記電極基板のうち前記対向基板と反対側に設けられるアンテナコイルを備え、
前記アンテナコイルが、前記封止部の厚さ方向に前記封止部及び前記アンテナコイルを見た場合に、前記封止部と重なるように配置されている、光電変換装置。
【請求項２】
少なくとも１つの光電変換セルを備え、
前記光電変換セルが、
電極基板と、
前記電極基板に対向する対向基板と、
前記電極基板と前記対向基板とを接合する環状の封止部とを有する光電変換装置であって、
前記電極基板のうち前記対向基板と反対側に設けられるアンテナコイルと、
前記電極基板のうち前記対向基板と反対側に設けられる絶縁部とを備え、
前記アンテナコイルが、前記封止部の厚さ方向に前記封止部及び前記アンテナコイルを見た場合に、前記封止部と重なるように配置され、
前記絶縁部が、前記アンテナコイルを覆うように設けられる樹脂層を有し、
前記絶縁部が紫外線吸収剤を含む、光電変換装置。
【請求項３】
少なくとも１つの光電変換セルを備え、
前記光電変換セルが、
電極基板と、
前記電極基板に対向する対向基板と、
前記電極基板と前記対向基板とを接合する環状の封止部とを有する光電変換装置であって、
前記電極基板のうち前記対向基板と反対側に設けられるアンテナコイルと、
前記電極基板のうち前記対向基板と反対側に設けられる絶縁部とを備え、
前記アンテナコイルが、前記封止部の厚さ方向に前記封止部及び前記アンテナコイルを見た場合に、前記封止部と重なるように配置され、
前記絶縁部が、前記アンテナコイルを覆うように設けられる樹脂層と、前記アンテナコイルを支持する支持基板と、前記支持基板と前記電極基板とを接着する接着層とを有し、
前記電極基板が透明基板を有し、
前記接着層が、前記透明基板の屈折率と前記支持基板の屈折率との間の屈折率を有する
、光電変換装置。
【請求項４】
前記絶縁部が、前記アンテナコイルを支持する支持基板と、前記支持基板と前記電極基板とを接着する接着層とをさらに有し、
前記電極基板が透明基板を有し、
前記接着層が、前記透明基板の屈折率と前記支持基板の屈折率との間の屈折率を有する、請求項２に記載の光電変換装置。
【請求項５】
前記電極基板のうち前記対向基板と反対側に設けられ光を遮蔽する光遮蔽部をさらに備え、
前記光遮蔽部及び前記封止部を前記封止部の厚さ方向に見た場合に前記光遮蔽部が前記封止部と重なって配置されている、請求項１〜４のいずれか一項に記載の光電変換装置。
【請求項６】
前記光電変換セルが色素増感光電変換セルで構成される、請求項１〜５のいずれか一項に記載の光電変換装置。
【請求項７】
前記アンテナコイルが、前記封止部の厚さ方向に前記封止部及び前記アンテナコイルを見た場合に、前記封止部に沿って巻回するように設けられ、
隣り合う前記アンテナコイル間の隙間の幅が前記アンテナコイルの幅よりも小さい、請求項１〜６のいずれか一項に記載の光電変換装置。
【発明の詳細な説明】
【技術分野】
【０００１】
本発明は、アンテナコイルを有する光電変換装置に関する。
【背景技術】
【０００２】
色素増感太陽電池や有機薄膜太陽電池などの光電変換装置は少なくとも１つの光電変換素子を有するものである。光電変換装置は通常は電池としてのみ使用されることが多いが、近年では、通信機能を付与するべく、アンテナコイルを有する光電変換装置が用いられるケースも増えてきている。
【０００３】
例えば下記特許文献１には、色素増感太陽電池と、色素増感太陽電池に設けられるアンテナコイルとを備える光電変換装置が開示されている。同公報においては、上記色素増感太陽電池が、透明基板を含む導電性基板と、導電性基板に対向する対向基板と、導電性基板と対向基板とを接合する環状の封止部とを有し、透明基板のうち対向基板側の表面において、環状の封止部を包囲するようにアンテナコイルが巻回されることが開示されている。
【先行技術文献】
【特許文献】
【０００４】
【特許文献１】特開２０１５−５６２９３号公報
【発明の概要】
【発明が解決しようとする課題】
【０００５】
しかし、上述した特許文献１に記載の光電変換装置は以下に示す課題を有していた。
【０００６】
すなわち、特許文献１に記載の光電変換装置は、透明基板の一面側でアンテナコイルが環状の封止部を包囲するように設けられているため、透明基板の一面上で環状の封止部の外側にアンテナコイルを設置するためのスペースを必要とし、設置面積を増大させる。ここで、このスペースは発電に寄与するものではないため、このスペースが大きくなるほど設置面積あたりの発電量が低下する。そのため、特許文献１に記載の光電変換装置は、設置面積あたりの発電量の点で改善の余地を有していた。
【０００７】
本発明は上記事情に鑑みてなされたものであり、設置面積あたりの発電量を増加させることができる光電変換装置を提供することを目的とする。
【課題を解決するための手段】
【０００８】
上記課題を解決するため、本発明は、少なくとも１つの光電変換セルを備え、前記光電変換セルが、電極基板と、前記電極基板に対向する対向基板と、前記電極基板と前記対向基板とを接合する環状の封止部とを有する光電変換装置であって、前記電極基板のうち前記対向基板と反対側に設けられるアンテナコイルを備え、前記アンテナコイルが、前記封止部の厚さ方向に前記封止部及び前記アンテナコイルを見た場合に、前記封止部と重なるように配置されている、光電変換装置である。
【０００９】
この光電変換装置によれば、電極基板のうち対向基板と反対側に、封止部の厚さ方向に封止部及びアンテナコイルを見た場合に、アンテナコイルが封止部と重なるように配置されているため、電極基板において、環状の封止部の外側にアンテナコイルを設置するためのスペースを設ける必要がなくなる。このため、本発明の光電変換装置によれば、設置面積あたりの発電量を増加させることができる。
【００１０】
上記光電変換装置は、前記電極基板のうち対向基板と反対側に設けられる絶縁部をさらに備え、前記絶縁部が、前記アンテナコイルを覆うように設けられる樹脂層を有することが好ましい。
【００１１】
この場合、アンテナコイルが、絶縁部に含まれる樹脂層によって保護されるため、アンテナコイルにスクラッチなどの傷が生じることが十分に防止される。また、アンテナコイルに水分が付着することも十分に抑制できる。このため、水分がアンテナコイルを横断することが十分に抑制され、アンテナコイルにおける短絡が抑制されるため、アンテナとしての機能を十分に保持することが可能となる。さらにアンテナコイルの酸化も十分に抑制されるため、アンテナコイルの抵抗の低下も抑制できる。またアンテナコイルが樹脂層で覆われることでアンテナコイルに剛性を付与することもできる。
【００１２】
上記光電変換装置においては、前記絶縁部が紫外線吸収剤を含むことが好ましい。
【００１３】
この場合、光電変換装置に入射した光のうち紫外線が、絶縁部に含まれる紫外線吸収剤によって吸収される。このため、紫外線による光電変換セルの劣化がより十分に抑制される。その結果、本発明の光電変換装置の耐久性をより十分に向上させることができる。
【００１４】
上記光電変換装置は、前記電極基板のうち前記対向基板と反対側に設けられ光を遮蔽する光遮蔽部をさらに備え、前記光遮蔽部及び前記封止部を前記封止部の厚さ方向に見た場合に前記光遮蔽部が前記封止部と重なって配置されていることが好ましい。
【００１５】
この場合、光遮蔽部及び封止部を封止部の厚さ方向に見た場合に光遮蔽部が封止部と重なって配置されているため、光遮蔽部によって封止部に光が入射されることが十分に抑制され、光による封止部の劣化をより十分に抑制できる。
【００１６】
上記光電変換装置においては、例えば前記光電変換セルが色素増感光電変換セルで構成される。
【発明の効果】
【００１７】
本発明によれば、設置面積あたりの発電量を増加させることができる光電変換装置が提供される。
【図面の簡単な説明】
【００１８】
【図１】本発明の光電変換装置の一実施形態を示す断面図である。
【図２】図１のＩＩ−ＩＩ線に沿った断面図である。
【発明を実施するための形態】
【００１９】
以下、本発明に係る光電変換装置の実施形態について図１及び図２を参照しながら詳細に説明する。なお、図１は、本発明の光電変換装置の第１実施形態を示す平面図、図２は、図１のＩＩ−ＩＩ線に沿った断面図である。
【００２０】
図１及び図２に示すように、光電変換装置１００は光電変換セル１０を備えている。本実施形態では、光電変換セル１０は色素を用いた光電変換セルで構成されている。光電変換セル１０は、電極基板２０と、電極基板２０に対向する対向基板３０と、電極基板２０と対向基板３０とを接合する環状の封止部４０と、電極基板２０のうち対向基板３０側の表面上に設けられる酸化物半導体層５０と、酸化物半導体層５０に担持される色素と、電極基板２０と対向基板３０との間に設けられる電解質６０とを有している。
【００２１】
また、光電変換装置１００は、電極基板２０のうち対向基板３０と反対側に設けられる絶縁部７０をさらに備えており、絶縁部７０の内部にはアンテナコイル８０が設けられている。アンテナコイル８０は、封止部４０の厚さ方向に封止部４０及びアンテナコイル８０を見た場合に、封止部４０と重なるように配置されている。アンテナコイル８０は、封止部４０の厚さ方向に封止部４０及びアンテナコイル８０を見た場合に、封止部４０に沿って巻回するように設けられている。アンテナコイル８０の両端の各々には端子部９０ａ、９０ｂが接続されている。
【００２２】
電極基板２０は、透明基板２１と、透明基板２１のうち対向基板３０側に設けられる電極としての透明導電層２２とを備えている。
【００２３】
対向基板３０は、導電性基板３１と、導電性基板３１のうち電極基板２０側に設けられて電解質６０の還元に寄与する触媒層３２とを備えている。
【００２４】
絶縁部７０は、アンテナコイル８０を支持する支持基板７１と、支持基板７１と電極基板２０とを接着する接着層７２と、アンテナコイル８０を覆うように設けられる樹脂層７３とを有する。本実施形態では、樹脂層７３は、アンテナコイル８０を直接覆うカバー層７３ａと、カバー層７３ａ上に設けられる保護層７３ｂとを有する。
【００２５】
また本実施形態では、絶縁部７０が紫外線吸収剤を含む。
【００２６】
この光電変換装置１００によれば、電極基板２０のうち対向基板３０と反対側に、封止部４０の厚さ方向に封止部４０及びアンテナコイル８０を見た場合に、アンテナコイル８０が封止部４０と重なるように配置されているため、電極基板２０において、環状の封止部４０の外側にアンテナコイル８０を設置するためのスペースを設ける必要がなくなる。このため、光電変換装置１００によれば、設置面積あたりの発電量を増加させることができる。また、光電変換装置１００によれば、電極基板２０側から光電変換セル１０に光が入射する場合、アンテナコイル８０によって光が反射されるので、封止部４０に入射される光の量を低減することができ、光による封止部４０の劣化を十分に抑制できる。このため、光電変換装置１００によれば、耐久性を向上させることもできる。
【００２７】
また光電変換装置１００は、電極基板２０と反対側に設けられる絶縁部７０をさらに備えており、絶縁部７０が、アンテナコイル８０を覆うように設けられる樹脂層７３を有している。
【００２８】
この場合、アンテナコイル８０が絶縁部７０に含まれる樹脂層７３によって保護されるため、アンテナコイル８０にスクラッチなどの傷が生じることが十分に防止される。また、アンテナコイル８０に水分が付着することも十分に抑制できる。このため、水分がアンテナコイル８０を横断することが十分に抑制され、アンテナコイル８０における短絡が抑制されるため、アンテナとしての機能を十分に保持することが可能となる。さらにアンテナコイル８０の酸化も十分に抑制されるため、アンテナコイル８０の抵抗の低下も抑制できる。またアンテナコイル８０が樹脂層７３で覆われることでアンテナコイル８０に剛性を付与することもできる。
【００２９】
さらに、本実施形態では、絶縁部７０が紫外線吸収剤を含むため、光電変換装置１００に入射した光のうち紫外線が、絶縁部７０に含まれる紫外線吸収剤によって吸収される。このため、紫外線による光電変換セル１０の劣化が十分に抑制される。
【００３０】
次に、電極基板２０、対向基板３０、封止部４０、酸化物半導体層５０、電解質６０、色素、絶縁部７０、アンテナコイル８０及び紫外線吸収剤について詳細に説明する。
【００３１】
＜電極基板＞
電極基板２０は、上述したように、透明基板２１と、透明基板２１のうち対向基板３０側に設けられる電極としての透明導電層２２とを有する。
【００３２】
（透明基板）
透明基板２１を構成する材料は、例えば透明な絶縁材料であればよく、このような透明な材料としては、例えばホウケイ酸ガラス、ソーダライムガラス、白板ガラス、石英ガラスなどのガラス、ポリエチレンテレフタレート（ＰＥＴ）、ポリエチレンナフタレート（ＰＥＮ）、ポリカーボネート（ＰＣ）、および、ポリエーテルスルフォン（ＰＥＳ）などが挙げられる。透明基板２１の厚さは、光電変換セル１０のサイズに応じて適宜決定され、特に限定されるものではないが、例えば５０〜１００００μｍの範囲にすればよい。
【００３３】
（透明導電層）
透明導電層２２を構成する材料としては、例えばスズ添加酸化インジウム（ＩＴＯ）、酸化スズ（ＳｎＯ２）、及び、フッ素添加酸化スズ（ＦＴＯ）などの導電性金属酸化物が挙げられる。透明導電層２２は、単層でも、異なる導電性金属酸化物で構成される複数の層の積層体で構成されてもよい。透明導電層２２が単層で構成される場合、透明導電層２２は、高い耐熱性及び耐薬品性を有することから、ＦＴＯで構成されることが好ましい。透明導電層２２の厚さは例えば０．０１〜２μｍの範囲にすればよい。
【００３４】
＜対向基板＞
対向基板３０は、上述したように、導電性基板３１と、導電性基板３１のうち電極基板２０側に設けられて電解質６０の還元に寄与する触媒層３２とを備えている。
【００３５】
導電性基板３１は、例えばチタン、ニッケル、白金、モリブデン、タングステン、アルミ、ステンレス等の耐食性の金属材料で構成される。また、導電性基板３１は、基板と電極を分けて、上述した透明基板２１上にＩＴＯ、ＦＴＯ等の導電性酸化物からなる導電層を電極として形成した積層体で構成されてもよく、ガラス上にＩＴＯ、ＦＴＯ等の導電性酸化物からなる導電層を形成した積層体でもよい。導電性基板３１の厚さは、光電変換セル１０のサイズに応じて適宜決定され、特に限定されるものではないが、例えば０．００５〜０．１ｍｍとすればよい。
【００３６】
触媒層３２は、導電性材料で構成される。導電性材料としては、白金などの金属材料、炭素系材料又は導電性高分子などが挙げられる。ここで、炭素系材料としては、カーボンナノチューブが好適に用いられる。
【００３７】
＜封止部＞
封止部４０としては、例えば変性ポリオレフィン樹脂、ビニルアルコール重合体などの熱可塑性樹脂、及び、紫外線硬化樹脂などの樹脂が挙げられる。変性ポリオレフィン樹脂としては、例えばアイオノマー、エチレン−ビニル酢酸無水物共重合体、エチレン−メタクリル酸共重合体およびエチレン−ビニルアルコール共重合体が挙げられる。これらの樹脂は単独で又は２種以上を組み合せて用いることができる。
【００３８】
＜酸化物半導体層＞
酸化物半導体層５０は、酸化物半導体粒子で構成されている。酸化物半導体粒子は、例えば酸化チタン（ＴｉＯ２）、酸化亜鉛（ＺｎＯ）、酸化タングステン（ＷＯ３）、酸化ニオブ（Ｎｂ２Ｏ５）、チタン酸ストロンチウム（ＳｒＴｉＯ３）、酸化スズ（ＳｎＯ２）、酸化インジウム（Ｉｎ３Ｏ３）、酸化ジルコニウム（ＺｒＯ２）、酸化タリウム（Ｔａ２Ｏ５）、酸化ランタン（Ｌａ２Ｏ３）、酸化イットリウム（Ｙ２Ｏ３）、酸化ホルミウム（Ｈｏ２Ｏ３）、酸化ビスマス（Ｂｉ２Ｏ３）、酸化セリウム（ＣｅＯ２）、酸化アルミニウム（Ａｌ２Ｏ３）又はこれらの２種以上で構成される。酸化物半導体層５０の厚さは、例えば０．１〜１００μｍとすればよい。
【００３９】
（電解質）
電解質６０は、酸化還元対と有機溶媒とを含んでいる。有機溶媒としては、アセトニトリル、メトキシアセトニトリル、メトキシプロピオニトリル、プロピオニトリル、エチレンカーボネート、プロピレンカーボネート、ジエチルカーボネート、γ−ブチロラクトン、バレロニトリル、ピバロニトリル、などを用いることができる。酸化還元対としては、例えばヨウ化物イオン／ポリヨウ化物イオン（例えばＩ−／Ｉ３−）、臭化物イオン／ポリ臭化物イオンなどのハロゲン原子を含む酸化還元対のほか、亜鉛錯体、鉄錯体、コバルト錯体などのレドックス対が挙げられる。なお、ヨウ化物イオン／ポリヨウ化物イオンは、ヨウ素（Ｉ２）と、アニオンとしてのアイオダイド（Ｉ−）を含む塩（イオン性液体や固体塩）とによって形成することができる。アニオンとしてアイオダイドを有するイオン性液体を用いる場合には、ヨウ素のみ添加すればよく、有機溶媒や、アニオンとしてアイオダイド以外のイオン性液体を用いる場合には、ＬｉＩやテトラブチルアンモニウムアイオダイドなどのアニオンとしてアイオダイド（Ｉ−）を含む塩を添加すればよい。また電解質６０は、有機溶媒に代えて、イオン液体を用いてもよい。イオン液体としては、例えばピリジニウム塩、イミダゾリウム塩、トリアゾリウム塩等の既知のヨウ素塩などが用いられる。このようなヨウ素塩としては、例えば、１−ヘキシル−３−メチルイミダゾリウムアイオダイド、１−エチル−３−プロピルイミダゾリウムアイオダイド、１−エチル−３−メチルイミダゾリウムアイオダイド、１，２−ジメチル−３−プロピルイミダゾリウムアイオダイド、１−ブチル−３−メチルイミダゾリウムアイオダイド、又は、１−メチル−３−プロピルイミダゾリウムアイオダイドが好適に用いられる。
【００４０】
また、電解質６０は、上記有機溶媒に代えて、上記イオン液体と上記有機溶媒との混合物を用いてもよい。
【００４１】
また電解質６０には添加剤を加えることができる。添加剤としては、１−メチルベンゾイミダゾール（ＮＭＢ）、１−ブチルベンゾイミダゾール（ＮＢＢ）などのベンゾイミダゾール、ＬｉＩ、テトラブチルアンモニウムアイオダイド、４−ｔ−ブチルピリジン、グアニジウムチオシアネートなどが挙げられる。中でも、ベンゾイミダゾールが添加剤として好ましい。
【００４２】
さらに電解質６０としては、上記電解質にＳｉＯ２、ＴｉＯ２、カーボンナノチューブなどのナノ粒子を混練してゲル様となった擬固体電解質であるナノコンポジットゲル電解質を用いてもよく、また、ポリフッ化ビニリデン、ポリエチレンオキサイド誘導体、アミノ酸誘導体などの有機系ゲル化剤を用いてゲル化した電解質を用いてもよい。
【００４３】
＜色素＞
色素としては、例えばビピリジン構造、ターピリジン構造などを含む配位子を有するルテニウム錯体や、ポルフィリン、エオシン、ローダミン、メロシアニンなどの有機色素などの光増感色素や、ハロゲン化鉛系ペロブスカイト結晶などの有機−無機複合色素などが挙げられる。ハロゲン化鉛系ペロブスカイトとしては、例えばＣＨ３ＮＨ３ＰｂＸ３（Ｘ＝Ｃｌ、Ｂｒ、Ｉ）が用いられる。上記色素の中でも、ビピリジン構造又はターピリジン構造を含む配位子を有するルテニウム錯体が好ましい。この場合、光電変換装置１００の光電変換特性をより向上させることができる。なお、色素として、光増感色素を用いる場合には、光電変換装置１００は色素増感光電変換装置となる。
【００４４】
＜絶縁部＞
絶縁部７０は、上述したように、アンテナコイル８０を支持する支持基板７１と、支持基板７１と電極基板２０とを接着する接着層７２と、アンテナコイル８０を覆うように設けられる樹脂層７３とを有する。
【００４５】
（支持基板）
支持基板７１は、絶縁材料で構成されていればよく、このような絶縁材料としては、例えばＰＥＴフィルム、ＰＥＮフィルムなどの樹脂材料やガラスなどの無機材料などが挙げられる。
【００４６】
支持基板７１の厚さは特に限定されるものではないが、例えば２０〜４０００μｍであればよい。
【００４７】
（接着層）
接着層７２は、支持基板７１と電極基板２０とを接着させることが可能な接着剤で構成されていればよい。このような接着剤としては、例えばアクリル系接着剤、エポキシ系接着剤などの接着剤などを用いることができる。これらの接着剤は、光硬化型接着剤、熱硬化型接着剤又は二液混合型接着剤などのいずれであってもよい。
【００４８】
但し、接着層７２は、透明基板１１の屈折率と支持基板７１の屈折率の間の屈折率を有することが好ましい。この場合、透明基板１１と接着層７２との界面、及び、接着層７２と支持基板７１との界面における光の反射を低減できるので、光を酸化物半導体層５０により十分に導くことができる。
【００４９】
（樹脂層）
樹脂層７３は、アンテナコイル８０を直接覆うカバー層７３ａと、カバー層７３ａ上に設けられる保護層７３ｂとを有する。
【００５０】
カバー層７３ａは、樹脂材料で構成されていればよいが、アンテナコイル８０が水分によって短絡することを抑制する観点からは、例えばエポキシ樹脂、アクリル樹脂、ポリエステル樹脂、ウレタン樹脂、ビニル樹脂、シリコーン樹脂、フェノール樹脂及びポリイミド樹脂などの透明樹脂などが挙げられる。
【００５１】
保護層７３ｂは、カバー層７３ａと同一の樹脂材料やガラスなどの無機材料で構成される。また、保護層７３ｂは、カバー層７３ａと同一の材料で構成されてもよく、異なる材料で構成されてもよい。保護層７３ｂがカバー層７３ａと異なる材料で構成される場合、保護層７３ｂは、カバー層７３ａよりも耐摩耗性の大きい材料で構成されていることが好ましい。この場合、例えばカバー層７３ａがエポキシ樹脂、アクリル樹脂で構成される場合、保護層７３ｂはＰＥＴフィルムや、ＰＥＮフィルム、ガラスなどの材料で構成すればよい。
【００５２】
＜アンテナコイル＞
アンテナコイル８０は導電性材料で構成される。導電性材料としては、銀、銅などの金属材料やカーボン材料などが挙げられる。
【００５３】
アンテナコイル８０の巻き数は特に制限されないが、アンテナコイル間の隙間がアンテナコイルの幅よりも小さくなる巻き数とすることが好ましい。この場合、封止部４０に入射される光の量をより低減することができるので、封止部４０の劣化が十分に抑制され、光電変換装置１００の耐久性を向上させることができる。
【００５４】
＜紫外線吸収剤＞
上述したように、紫外線吸収剤は絶縁部７０に含まれる。絶縁部７０において、紫外線吸収剤は、支持基板７１、接着層７２及び樹脂層７３の少なくとも１つに含まれていればよい。
【００５５】
紫外線吸収剤は、紫外線を吸収する材料であればよい。このような紫外線吸収剤としては、例えば酸化セリウム、酸化亜鉛、トリアジン誘導体、ベンゾトリアゾール誘導体及びベンゾフェノン誘導体が挙げられる。これらは１種類単独で又は２種以上を組み合せて用いることができる。
【００５６】
なお、紫外線吸収剤の添加割合は特に制限されるものではないが、透明基板１１及び絶縁部７０全体中の紫外線吸収剤の添加割合は０．０１〜５０質量％であることが好ましい。
【００５７】
本発明は、上記実施形態に限定されるものではない。例えば上記実施形態では、絶縁部７０が、支持基板７１及び接着層７２を有しているが、絶縁部７０は、支持基板７１及び接着層７２を必ずしも有していなくてもよい。この場合、電極基板２０を、アンテナコイル８０の支持基板７１として使用することが可能である。
【００５８】
さらに、上記実施形態では、アンテナコイル８０が、支持基板７１のうち電極基板２０と反対側に設けられているが、アンテナコイル８０は、支持基板７１のうち電極基板２０側に設けられてもよい。この場合、接着層７２がアンテナコイル８０を覆う樹脂層になる。また、この場合、アンテナコイル８０は、支持基板７１で保護されることになるため、カバー層７３ａ及び保護層７３ｂは省略してもよい。さらに上記実施形態では、絶縁部７０は必ずしも必要なものではなく、省略が可能である。
【００５９】
また、電極基板２０のうち対向基板３０と反対側には、光を吸収又は反射によって遮蔽する光遮蔽部がさらに設けられていてもよい。ここで、光遮蔽部は、封止部４０の厚さ方向に見た場合に封止部４０と重なる領域に配置されている。この場合、光遮蔽部及び封止部４０を封止部４０の厚さ方向に見た場合に光遮蔽部が封止部４０と重なって配置されているため、光遮蔽部によって封止部４０に光が入射されることが十分に抑制され、光による封止部４０の劣化をより十分に抑制できる。光遮蔽部としては、着色された樹脂材料や着色された無機材料を用いることができる。着色された樹脂材料や着色された無機材料としては、透明な樹脂材料や透明な無機材料に着色剤を混ぜた物や、それ自体有色の樹脂材料や無機材料を用いることができる。光遮蔽部は、支持基板７１のうち、アンテナコイル８０が設けられていない面上に別途設けてもよいし、接着層７２、カバー層７３ａ及び保護層７３ｂのうち少なくとも１つにおいて、封止部４０と重なる部分のみを着色したものであってもよい。なお、上記着色剤は、光を遮蔽できるものあればいかなるものでもよいが、このような着色剤としては、例えば遷移金属の酸化物、炭素系材料及び有機染料などが挙げられる。これらは単独で又は２種以上を組み合せて用いられてもよい。遷移金属の酸化物としては、例えば酸化銅、酸化鉄、酸化コバルト及び酸化マンガンなどが挙げられる。これらは単独で又は２種以上を組み合せて用いられてもよい。また、光遮蔽部としては、アンテナコイル８０と電気的に接続されないのであれば、非透明の金属材料を用いることもできる。
【００６０】
また、上記実施形態では、光電変換セル１０において、電極基板２０上に酸化物半導体層５０が設けられているが、酸化物半導体層５０は対向基板３０上に設けられてもよい。この場合、触媒層３２は電極基板２０の上に設けられる。
【００６１】
また、上記実施形態では、紫外線吸収剤が絶縁部７０に含まれているが、紫外線吸収剤は絶縁部７０に含まれていなくてもよい。
【００６２】
さらに、上記実施形態では、対向基板３０が対極で構成され、電極基板２０と対向基板３０とが封止部４０によって連結されているが、電極基板２０と対向基板３０との間で、酸化物半導体層５０上に、電解質６０を含浸した多孔性の絶縁層及び電極層が順次積層される場合には、対向基板３０は、絶縁性の基材で構成されてもよい。
【００６３】
さらにまた、上記実施形態では、光電変換装置１００が１つの光電変換セル１０を有しているが、光電変換装置１００は、光電変換セル１０を複数備えていてもよい。ここで、複数の光電変換セル１０は直列に接続されてもよいし、並列に接続されてもよい。
【００６４】
また、上記実施形態では光電変換セル１０として色素増感光電変換セルが用いられているが、光電変換セル１０は光電変換機能を有していればよく、光電変換セル１０としては、有機薄膜太陽電池を用いることも可能である。
【符号の説明】
【００６５】
１０…光電変換セル
２０…電極基板
３０…対向基板
４０…封止部
７０…絶縁部
７３…樹脂層
８０…アンテナコイル
１００…光電変換装置
【図１】
0006609202.tif 000002
【図２】
0006609202.tif 000003